(57)【要約】      （修正有）【課題】薬物の投与効果を向上させるベニクスノキタケ薬剤のスプレー装置を提供する。【解決手段】ベニクスノキタケ薬剤のスプレー装置は、ベニクスノキタケ薬剤収容室１と、振動発生器２と、網目パーツ３と、結合座４とを含む。ベニクスノキタケ薬剤収容室１は、液状を呈するベニクスノキタケ薬剤を収容するために用いられ、吐出口１２を有する。振動発生器２はベニクスノキタケ薬剤収容室１に結合され、ベニクスノキタケ薬剤収容室１内のベニクスノキタケ薬剤に対して振動を発生させるために用いられる。網目パーツ３はベニクスノキタケ薬剤収容室１の吐出口１２に位置し、複数の網目を有する。結合座４はベニクスノキタケ薬剤収容室１に結合され、貫通孔４１を有する。貫通孔４１、吐出口１２及び前記複数の網目が吐出方向にて位置合わせされることで霧状化されたベニクスノキタケ薬剤を貫通孔４１を通過させて噴射する。【選択図】図１
0003216432.tif 000002
【実用新案登録請求の範囲】
【請求項１】
吐出口を有し、液状を呈するベニクスノキタケ薬剤を収容するためのベニクスノキタケ薬剤収容室と、
前記ベニクスノキタケ薬剤収容室に結合され、前記ベニクスノキタケ薬剤収容室内のベニクスノキタケ薬剤に対して振動を発生させるための振動発生器と、
前記ベニクスノキタケ薬剤収容室の前記吐出口に位置し、複数の網目を有する網目パーツと、
前記ベニクスノキタケ薬剤収容室に結合され、貫通孔を有する結合座とを含み、前記貫通孔、前記吐出口及び前記複数の網目が吐出方向にて位置合わせされることで霧状化されたベニクスノキタケ薬剤を前記貫通孔を通過させて噴射するベニクスノキタケ薬剤のスプレー装置。
【請求項２】
前記複数の網目の穴径が１〜１０μｍである請求項１に記載のベニクスノキタケ薬剤のスプレー装置。
【請求項３】
前記複数の網目の穴径が５μｍである請求項２に記載のベニクスノキタケ薬剤のスプレー装置。
【考案の詳細な説明】
【技術分野】
【０００１】
本考案は、スプレー装置に関し、特に、ベニクスノキタケ薬剤を霧状の微粒子に形成するスプレー装置に関するものである。
【背景技術】
【０００２】
薬物を患者へ投与する需要に基づいて、発症する前に或いは発症の際に迅速に症状を抑制するために、経口投与により粉薬を投与されるべき箇所（例えば喉）へ噴射する必要がある。しかしながら、従来の薬剤噴射装置から噴射される粉薬の粒径は環境の影響を受け易いので（例えば、環境の湿度変化により固まる）、薬物粒子が大きすぎて薬物の投与されるべき箇所へ効果的に進入できないということがある。よって、薬物を微粒子形態で薬物の投与されるべき箇所へ届ける装置が必要である。
【考案の概要】
【考案が解決しようとする課題】
【０００３】
本考案は、液状を呈するベニクスノキタケ薬剤を霧状にして噴射し、薬物の投与効果を向上させるベニクスノキタケ薬剤のスプレー装置を提供することを目的とする。
【課題を解決するための手段】
【０００４】
上記目的を達成するために、本考案のベニクスノキタケ薬剤のスプレー装置はベニクスノキタケ薬剤収容室と、振動発生器と、網目パーツと、結合座とを含む。前記ベニクスノキタケ薬剤収容室は、液状を呈するベニクスノキタケ薬剤を収容するために用いられ、吐出口を有する。前記振動発生器は前記ベニクスノキタケ薬剤収容室に結合され、前記ベニクスノキタケ薬剤収容室内のベニクスノキタケ薬剤に対して振動を発生させるために用いられる。前記網目パーツは前記ベニクスノキタケ薬剤収容室の前記吐出口に位置し、複数の網目を有する。前記結合座は前記ベニクスノキタケ薬剤収容室に結合され、貫通孔を有する。前記貫通孔、前記吐出口及び前記複数の網目が吐出方向にて位置合わせされることで霧状化されたベニクスノキタケ薬剤を前記貫通孔を通過させて噴射する。
【０００５】
本考案のベニクスノキタケ薬剤のスプレー装置は、前記複数の網目の穴径が１〜１０μｍである。
【０００６】
本考案のベニクスノキタケ薬剤のスプレー装置は、前記複数の網目の穴径が５μｍである。
【図面の簡単な説明】
【０００７】
【図１】本考案の好ましい実施例の斜視図である。
【図２】本考案の好ましい実施例にかかる網目パーツの正面図である。
【考案を実施するための形態】
【０００８】
図１に示されるように、本考案の好ましい実施例にかかるベニクスノキタケ薬剤のスプレー装置はベニクスノキタケ薬剤収容室１、振動発生器２、網目パーツ３及び結合座４を有する。振動発生器２はベニクスノキタケ薬剤収容室１の片側に結合され、網目パーツ３はベニクスノキタケ薬剤収容室１のもう片側に位置し、結合座４もベニクスノキタケ薬剤収容室１に結合されている。かつ、結合座４は前記ベニクスノキタケ薬剤収容室１のもう片側と共に網目パーツ３を挟んで固定させることが好ましい。
【０００９】
詳しく述べると、本考案の好ましい実施例におけるベニクスノキタケ薬剤収容室１は、収容空間１１及び吐出口１２を含む。収容空間１１は液状を呈するベニクスノキタケ薬剤を収容するのに用いられ、吐出口１２は収容空間１１に収容されるベニクスノキタケ薬剤を吐出するために収容空間１１に連通される。さらに、ベニクスノキタケ薬剤収容室１は蓋１３を含んでも良く、これにより、収容空間１１のベニクスノキタケ薬剤が切れた後に、ユーザーが蓋１３を開けてベニクスノキタケ薬剤を収容空間１１内に充填することができる。
【００１０】
本考案の好ましい実施例にかかる振動発生器２はベニクスノキタケ薬剤収容室１の片側に結合され、これにより、ベニクスノキタケ薬剤収容室１内のベニクスノキタケ薬剤に高周波数の振動を加え、ベニクスノキタケ薬剤をベニクスノキタケ薬剤収容室１から吐出させるのを促す。振動発生器２は超音波発生器であることが好ましいが、本考案ではこれに限定されない。
【００１１】
本考案の好ましい実施例にかかる網目パーツ３は、ベニクスノキタケ薬剤収容室１の吐出口１２に設置され、かつ、液通過部３１及び固定部３２を有する。液通過部３１はベニクスノキタケ薬剤収容室１の吐出口１２と位置合わせされる。また、図２に示されるように、液通過部３１は複数の網目３１１を有し、網目３１１の穴径は１〜１０μｍであり、好ましくは５μｍである。固定部３２は液通過部３１の外周に設置され、かつ、液通過部３１を囲むように設置されることが好ましく、これにより、ベニクスノキタケ薬剤収容室１における吐出口１２を囲む壁面に位置合わせされ、さらに結合される。
【００１２】
本考案の好ましい実施例にかかる結合座４は、ベニクスノキタケ薬剤収容室１において吐出口１２を有する壁面に設置され、かつ、結合座４は吐出方向にて液通過部３１の網目３１１と吐出口１２とに位置合わせされる貫通孔４１を有する。結合座４はベニクスノキタケ薬剤収容室１における吐出口１２を囲む壁面と共に網目パーツ３の固定部３２を挟んで固定することができ、これにより網目パーツ３の液通過部３１が上記高周波振動の影響で吐出口１２に対して移動することを避ける。さらに、結合座４には必要に応じて、異なる形態を成すカバーＭ１、Ｍ２が結合されることも良く、これにより吐出方向に吐出された霧状の薬剤が思わぬ方向へ逸れることを避けられる。
【００１３】
本考案の好ましい実施例にかかるベニクスノキタケ薬剤のスプレー装置が作動する際、振動発生器２は高周波振動を発生させ、ベニクスノキタケ薬剤収容室１内のベニクスノキタケ薬剤を吐出口１２を通過させて吐出方向に吐出させる。次に、吐出口１２から吐出されるベニクスノキタケ薬剤は網目パーツ３の液通過部３１を通過し、微細な穴径を有する複数の網目３１１により微細な液滴に霧状化される。最後に、霧状化されたベニクスノキタケ薬剤は結合座４の貫通孔４１から噴射され、患者の薬剤投与される箇所へ薬剤が送られる。
【００１４】
以上により、本考案は振動及び微細な網目の設計により、液状を呈するベニクスノキタケ薬剤を霧状の液滴に形成させることで、固形の粉薬が湿度の高い環境で固まり、薬物の投与効果に影響を及ぼしてしまうことを効果的に避けることができる。よって、本考案のベニクスノキタケ薬剤のスプレー装置は薬物の投与効果を効果的に向上させることができる。
【符号の説明】
【００１５】
１      ベニクスノキタケ薬剤収容室
１１    収容空間
１２    吐出口
１３    蓋
２      振動発生器
３      網目パーツ
３１    液通過部
３１１  網目
３２    固定部
４      結合座
４１    貫通孔
Ｍ１    カバー
Ｍ２    カバー
【図１】
0003216432.tif 000003
【図２】
0003216432.tif 000004